(57)【要約】【課題】  ＩＣ部品を含んだチューナにおいてその全体のサイズを大きくすることなくＩＣ部品の良好な放熱を実現することのできるチューナモジュールを提供する。【解決手段】  少なくとも１つのＩＣ部品（２１、２２、２３）を含む回路をアルミニウムによる金属ケース（１０）に収容してなるチューナモジュールであって、前記金属ケース内においてはＩＣ部品（２２、２３）と前記金属ケースとの間にこれらに接するように熱伝導シート（３２、３３）が貼着され、前記金属ケースの外面には、前記熱伝導シートの貼着領域を含む領域に放熱シート（４２、４３）が貼着されている。【選択図】      図１
2007194830.tif 000002
【特許請求の範囲】
【請求項１】
無線信号受信の際のチューニングの構成要素として少なくとも１つのＩＣ部品を含む回路をアルミニウムによる金属ケースに収容してなるチューナモジュールにおいて、
前記金属ケース内においては前記少なくとも１つのＩＣ部品と前記金属ケースとの間にこれらに接するように熱伝導シートが貼着され、
前記金属ケースの外面には放熱シートが貼着されていることを特徴とするチューナモジュール。
【請求項２】
前記構成要素は、プリント配線基板と、その両面にそれぞれ実装された少なくとも１つの前記ＩＣ部品とを含み、
前記金属ケース内においては、前記プリント配線基板の一方の面上の前記ＩＣ部品と前記金属ケースとの間にこれらに接するように第１の熱伝導シートが貼着されると共に、前記プリント配線基板の他方の面上の前記ＩＣ部品と前記金属ケースとの間にこれらに接するように第２の熱伝導シートが貼着され、
前記金属ケースの外面には、前記第１、第２の熱伝導シートの貼着領域を含む領域にそれぞれ、第１、第２の放熱シートが貼着されていることを特徴とする請求項１に記載のチューナモジュール。
【請求項３】
前記熱伝導シートはシリコーンゴムから成ることを特徴とする請求項１又は２に記載のチューナモジュール。
【請求項４】
前記金属ケースはアルミニウムのダイカスト成形体によるアッパーケース及びロアーケースから成ることを特徴とする請求項１〜３のいずれか１項に記載のチューナモジュール。
【請求項５】
請求項１〜４のいずれか１項に記載のチューナモジュールを内蔵した車載用デジタルラジオ受信機。
【発明の詳細な説明】
【技術分野】
【０００１】
本発明は、ラジオ受信機用のチューナモジュールに関し、特に、人工衛星からの電波（以下「衛星波」とも呼ぶ）または地上での電波（以下「地上波」とも呼ぶ）を受信してデジタルラジオ放送を聴取することが可能な車載用デジタルラジオ受信機に適したチューナモジュールに関する。
【背景技術】
【０００２】
最近、衛星波または地上波を受信して、デジタルラジオ放送を聴取可能にしたデジタルラジオ受信機が開発され、米国において実用化されている。このデジタルラジオ受信機は、一般には、自動車等の移動体に搭載され、周波数が約２．３ＧＨｚ帯の電波を受信してラジオ放送を聴取することが可能である。すなわち、デジタルラジオ受信機は、モバイル放送を聴取することが可能なラジオ受信機である。受信電波の周波数が約２．３ＧＨｚ帯なので、そのときの受信波長（共振波長）λは約１２８．３ｍｍである。尚、地上波は、衛星波を一旦、地球局で受信した後、周波数を若干シフトし、直線偏波で再送信したものである。すなわち、衛星波は円偏波であるの対して、地上波は直線偏波である。
【０００３】
デジタルラジオ受信機は、上記の自動車に搭載（車載）されるものに限らず、家屋などに設置されるもの、さらに、バッテリを電源として持ち運びができる可搬型のものがある。
【０００４】
いずれにしても、デジタルラジオ放送では、約２．３ＧＨｚ帯の周波数の電波が使用されるので、その電波を受信するアンテナ装置を介してチューナに受信信号が入力される。チューナを構成する部品は通常、プリント配線基板に実装されてシールドを兼ねる金属ケースに収容される（例えば、特許文献１参照）。
【０００５】
衛星デジタルラジオ受信機についてその構成の一例を、図４を参照して説明する。衛星デジタルラジオ受信機は、アンテナ１０１、チューナ部１０２、信号復調部１０３、チャンネル復調部１０４、音声デコーダ１０５、データデコーダ１０６、制御部１０７、操作部１０８を有する（例えば、特許文献２参照）。
【０００６】
【特許文献１】特開平６−２０９２６８号公報
【特許文献２】特開２００２−３４４３３５号公報
【発明の開示】
【発明が解決しようとする課題】
【０００７】
ところで、チューナを構成する部品にはＩＣ部品も含まれており、この種のＩＣ部品においてはそこからの発熱を放熱する手段を要求されることが多い。これは、ＩＣ部品における放熱が不十分で高熱になると、受信状態劣化の原因となるからである。ＩＣ部品の放熱手段としてはヒートシンクを利用することが多いが、これまでのヒートシンクは冷却フィンを持つ構造物を組合せたものが多く、全体のサイズが増えてしまい、特に小型化を要求される場合には適していない。
【０００８】
そこで、本発明の課題は、ＩＣ部品を含んだチューナにおいてその全体のサイズを大きくすることなくＩＣ部品の良好な放熱を実現することのできるチューナモジュールを提供することにある。
【課題を解決するための手段】
【０００９】
本発明によれば、無線信号受信の際のチューニングの構成要素として少なくとも１つのＩＣ部品（２１、２２、２３）を含む回路をアルミニウムによる金属ケース（１０）に収容してなるチューナモジュールであって、前記金属ケース内においては前記少なくとも１つのＩＣ部品（２２、２３）と前記金属ケースとの間にこれらに接するように熱伝導シート（３２、３３）が貼着され、前記金属ケースの外面には放熱シート（４２、４３）が貼着されていることを特徴とするチューナモジュールが提供される。
【００１０】
上記チューナモジュールにおいて、前記構成要素は、プリント配線基板（２０）と、その両面にそれぞれ実装された少なくとも１つの前記ＩＣ部品とを含む。この場合、前記金属ケース内においては、前記プリント配線基板の一方の面上の前記ＩＣ部品（２２）と前記金属ケースとの間にこれらに接するように第１の熱伝導シート（３２）が貼着されると共に、前記プリント配線基板の他方の面上の前記ＩＣ部品（２３）と前記金属ケースとの間にこれらに接するように第２の熱伝導シート（３３）が貼着される。一方、前記金属ケースの外面には、前記第１、第２の熱伝導シートの貼着領域を含む領域にそれぞれ、第１、第２の放熱シート（４２、４３）が貼着される。
【００１１】
上記チューナモジュールにおいて、前記熱伝導シートはシリコーンゴムから成ることが好ましい。また、前記金属ケースはアルミニウムのダイカスト成形体によるアッパーケース（１１）及びロアーケース（１２）から成ることが好ましい。
【００１２】
本発明によればまた、上記のいずれかのチューナモジュールを内蔵した車載用デジタルラジオ受信機が提供される。
【００１３】
尚、上記括弧内の符号は、本発明の理解を容易にするために付したものであり、一例にすぎず、これらに限定されないのは勿論である。
【発明の効果】
【００１４】
本発明では、チューナモジュールにおけるＩＣ部品の放熱作用を薄い熱伝導シート及び放熱シートで向上させることができるので、チューナモジュールのサイズを大きくすることなく温度上昇に起因するラジオ受信機の受信状態劣化を防止することができる。
【発明を実施するための最良の形態】
【００１５】
以下、図面を参照して、本発明の実施の形態について詳細に説明する。本実施の形態は、図４で説明したような衛星デジタルラジオ受信機の中でも特に、車載用デジタルラジオ受信機に適用する場合について説明する。
【００１６】
図２、図３は、車載用デジタルラジオ受信機の構成要素のうち、チューナ部と復調部、音声デコーダ部、データデコーダ部及びこれらを制御するコントローラが１つのプリント配線基板に実装され、このプリント配線基板が金属ケースに収容される場合について示している。このような構成をここではチューナモジュールと呼ぶ。
【００１７】
図２において、金属ケース１０は、アルミダイカスト成形体であるアッパーケース１１及びロアーケース１２から成る。プリント配線基板２０は、外部との電気的接続が必要な部分を除いてアッパーケース１１とロアーケース１２との間の空間に収容され、シールドが実現される。なお、図２では、金属ケース１０を上下逆にして示している。
【００１８】
図３において、プリント配線基板２０は、その表裏両面に電子部品を実装している。図３（ａ）はプリント配線基板２０の表面側を示し、図３（ｂ）はプリント配線基板２０の裏面側を示している。プリント配線基板２０の表面にはチューナ部の主要構成部品である第１のＩＣ部品２１及び復調部の主要構成部品である第２のＩＣ部品２２が実装されている。プリント配線基板２０の裏面にはコントローラの主要構成部品である第３のＩＣ部品２３が実装されている。
【００１９】
図２では詳しく示していないが、アッパーケース１１とロアーケース１２の内面側にはそれぞれ、プリント配線基板２０に実装される電子部品あるいは電子部品群（複数の電子部品が隣接して配置される場合）のサイズに対応した凹部が形成されている。これは、チューナモジュールの厚さをできるだけ小さくするためであるが、プリント配線基板２０上に形成されている導体パターンや、短絡されると問題のある部品については金属ケース１０に接触しないようにされるか、あるいは絶縁が施されることは言うまでも無い。
【００２０】
図１は、図２及び図３に示したチューナモジュールに本発明を適用した実施の形態を示している。本形態では、第１〜第３のＩＣ部品２１〜２３のうち第２及び第３のＩＣ部品２２及び２３の上面（ここでは全面）、あるいはこれに対応する金属ケース２０（アッパーケース１１及びロアーケース１２）の内面に熱伝導シート３２、３３を貼着している。これらの熱伝導シート３２、３３はそれぞれ、熱伝導を良くするために第２のＩＣ部品２２とアッパーケース１１の内面、第３のＩＣ部品２３とロアーケース１２の内面に面接触により密着させるようにしている。熱伝導シートの材料としては、例えばシリコーンゴム、アクリルゴム、黒鉛等があげられる。
【００２１】
一方、金属ケース２０の外面、つまりアッパーケース１１及びロアーケース１２の外面にはそれぞれ、熱伝導シート３２、３３に対応する領域を含む領域に放熱シート４２、４３が貼着されている。放熱シート４２、４３の貼着領域は熱伝導シート３２、３３の貼着領域を含むようにするのが好ましいが、外れていても良い。放熱シートの材料としては、例えば、液体セラミックとガラスクロスの混合材料等があげられる。
【００２２】
以上のような構成によれば、熱伝導シート及び放熱シートのいずれも薄いものであるので、チューナモジュール全体のサイズ、特に厚さ方向のサイズを大きくすることは無い。そして、第２、第３のＩＣ部品２２、２３で発生した熱は熱伝導シート３２、３３を介してアッパーケース１１、ロアーケース１２に良好に伝達される。アッパーケース１１、ロアーケース１２は熱伝導率の高い、つまり放熱効果の良好なアルミダイカスト製であり、これに加えて外面には放熱シート４２、４３が貼着されていることにより更に放熱性能が向上する。放熱性能試験によれば、本形態は熱伝導シート及び放熱シートが無い場合に比べて１０℃前後の温度低下が確認されている。また、８５℃の雰囲気中での性能試験においても正常に動作することが確認されている。
【００２３】
以上、本発明を好ましい実施の形態について説明したが、本発明は上記の実施の形態に限定されるものではない。例えば、上記の実施の形態では、プリント配線基板をアッパーケースとロアーケースとから成る金属ケースに収容するようにしているが、アッパーケース（あるいはロアーケース）とプリント配線基板とから成るような構成形態であったとしても、本発明を適用することによりアッパーケース（あるいはロアーケース）に面する側のプリント配線基板上に実装されたＩＣ部品からの放熱を促進する構造を実現できる。
【産業上の利用可能性】
【００２４】
本発明は、特に小型化が要求される車載用デジタルラジオ受信機におけるチューナモジュールに適しているが、ＩＣ部品を使用していることで放熱が要求されるラジオ受信機全般に適用できることは言うまでも無い。
【図面の簡単な説明】
【００２５】
【図１】図１は、本発明を車載用デジタルラジオ受信機におけるチューナモジュールに適用した場合についてチューナモジュールの概略構成を斜視図で示す。
【図２】図２は、車載用デジタルラジオ受信機におけるチューナモジュールの概略構成を斜視図で示す。
【図３】図３は、車載用デジタルラジオ受信機におけるチューナモジュールを構成している回路部品を実装しているプリント配線基板を表面側（図ａ）、裏面側（ｂ）から見た図である。
【図４】図４は、デジタルラジオ受信機の一例として衛星デジタルラジオ受信機のブロック構成を示した図である。
【符号の説明】
【００２６】
１０    金属ケース
１１    アッパーケース
１２    ロアーケース
２０    プリント配線基板
２１〜２３    第１〜第３のＩＣ部品
３２、３３    熱伝導シート
４２、４３    放熱シート
【図１】
2007194830.tif 000003
【図２】
2007194830.tif 000004
【図３】
2007194830.tif 000005
【図４】
2007194830.tif 000006